(57)【特許請求の範囲】
【請求項１】
内部に生ゴミが収容される合成樹脂製の内箱体と、該内箱体の外面に沿って配設されるヒータ線と、該ヒータ線からの熱を均熱化させて同内箱体に伝えるアルミシートと、これ等ヒータ線、アルミシートを外側から覆って同内箱体を外装するカバー体と、を備え、前記加熱される内箱体の内部で生ゴミが微生物により分解処理される生ゴミ処理装置であって、アルミシートの外側に該アルミシートを広域的に押圧する押圧手段を配設し、該押圧手段によって同アルミシートと共にヒータ線が内箱体に対して着脱自在に保持固定されるようになし、内箱体の外面に凹溝部を形成し、該凹溝部にヒータ線を着脱自在に嵌合し、該ヒータ線の外周一部を同凹溝部から突出させ、該突出したヒータ線の外周一部にアルミシートを押圧手段の押圧力によって圧接させた生ゴミ処理装置。
【請求項２】
押圧手段が略筒状の熱収縮シートでなり、アルミシートの外側から内箱体の外周に装着されて、加熱収縮されることにより該アルミシートを同内箱体の外面に対して押圧するものであることを特徴とする請求項１記載の生ゴミ処理装置。
【請求項３】
押圧手段が略筒状の弾性シートでなり、アルミシートの外側から内箱体の外周に伸張された状態で装着されて、その弾性復元力により該アルミシートを同内箱体の外面に対して押圧するものであることを特徴とする請求項１記載の生ゴミ処理装置。
【請求項４】
押圧手段が内部に空気を注入することで膨張する柔軟な袋状物でなり、カバー体とアルミシートとの間に介設されて、その内部の空気圧により該アルミシートを内箱体の外面に対して押圧するものであることを特徴とする請求項１記載の生ゴミ処理装置。
【請求項５】
アルミシートと押圧手段との間に弾性を有する断熱材を介設したことを特徴とする請求項２〜４のいずれか一つに記載の生ゴミ処理装置。
【請求項６】
押圧手段が弾性体でなり、カバー体とアルミシートとの間に圧縮された状態で介設されて、その弾性復元力により該アルミシートを同内箱体の外面に対して押圧するものであることを特徴とする請求項１記載の生ゴミ処理装置。
【発明の詳細な説明】
【０００１】
【発明の属する技術分野】
本発明は、加熱状態で生ゴミを微生物により分解処理することができる生ゴミ処理装置に関するものである。
【０００２】
【従来の技術】
従来から、図１３、１４に示す如く、加熱状態で生ゴミを微生物により分解処理することができる生ゴミ処理装置は知られている。該生ゴミ処理装置は、内部に生ゴミが収容される合成樹脂製の内箱体１と、該内箱体１の外面に沿って配設されるヒータ線２と、該ヒータ線２からの熱を均熱化させて同内箱体１に伝えるアルミシート３と、これ等ヒータ線２、アルミシート３を外側から覆って同内箱体１を外装するカバー体４と、を備えている。
【０００３】
この場合、前記加熱される内箱体１の内部では、生ゴミが微生物により分解処理される。又、内箱体１の外面に接着シート19を介して、ヒータ線２及びアルミシート３が強固に接着固定されている。そして、アルミシート３とカバー体４との間には断熱材９が介設され、同アルミシート３から内箱体１へと熱は逃げないよう均等に伝えられる。それ故、内箱体１の内部が効率良く加熱されて、微生物による分解処理性能は高く維持される。
【０００４】
【発明が解決しようとする課題】
しかしながら、上記従来の技術においては、ヒータ線２及びアルミシート３が合成樹脂製の内箱体１の外面に、接着シート19を介して強固に接着固定されているため、解体してリサイクル等を実施する際に、材料を分別して処理し難いという問題があった。すなわち、内箱体１の外面から接着シート19を剥がすのに手間取り、ヒータ線２及びアルミシート３を取り外す作業が困難であった。又、ヒータ線２やアルミシート３等が破損した場合に、これ等を取り替えて対応するメンテナンス作業も困難であった。
【０００５】
しかも、ヒータ線２及びアルミシート３と内箱体１の外面との間に接着シート19が介在して、同内箱体１への熱伝達に障害となっていた。又、ヒータ線２及びアルミシート３と内箱体１の外面との間における密着不良によって、同内箱体１へと熱が十分に伝わらなくなることもあった。それ故、内箱体１の内部が安定して確実には加熱されず、微生物による分解処理性能が低下するという問題も発生していた。
【０００６】
本発明は、上記従来の技術における問題を悉く解決するために発明されたもので、その課題は、解体する際に材料を分別処理し易く、ヒータ線やアルミシート等を取り替えるメンテナンス作業も容易で、しかも、内箱体の内部が確実に加熱される生ゴミ処理装置を提供することである。
【０００７】
【課題を解決するための手段】
本発明の請求項１記載の生ゴミ処理装置は、内部に生ゴミが収容される合成樹脂製の内箱体と、該内箱体の外面に沿って配設されるヒータ線と、該ヒータ線からの熱を均熱化させて同内箱体に伝えるアルミシートと、これ等ヒータ線、アルミシートを外側から覆って同内箱体を外装するカバー体と、を備え、前記加熱される内箱体の内部で生ゴミが微生物により分解処理されるものであって、アルミシートの外側に該アルミシートを広域的に押圧する押圧手段を配設し、該押圧手段によって同アルミシートと共にヒータ線が内箱体に対して着脱自在に保持固定されるようになし、内箱体の外面に凹溝部を形成し、該凹溝部にヒータ線を着脱自在に嵌合し、該ヒータ線の外周一部を同凹溝部から突出させ、該突出したヒータ線の外周一部にアルミシートを押圧手段の押圧力によって圧接させている。
【０００８】
したがって、この場合、押圧手段によってアルミシートと共にヒータ線が内箱体に対して着脱自在に保持固定されるため、解体してリサイクル等を実施する際には、材料を容易に分別処理することができる。すなわち、カバー体を取り外して押圧手段による保持固定状態を解除することで、合成樹脂製の内箱体から金属でなるヒータ線及びアルミシートを容易に取り外すことができ、これ等は容易に分別されて処理される。又、ヒータ線やアルミシート等の破損に際しても、これ等を同様に取り外して新しい物と取り替えることで、容易にメンテナンス作業を行うことができる。
【０００９】
しかも、押圧手段によってアルミシートが内箱体の外面に対し広域的に押圧されて、ヒータ線と共に安定した状態で保持固定されるため、該ヒータ線及びアルミシートと同内箱体の外面との間における密着不良は防止され、該内箱体へと熱が十分に伝達される。それ故、内箱体の内部が安定して確実に加熱され、微生物による分解処理性能も維持向上される。
また、内箱体の外面に凹溝部を形成し、該凹溝部にヒータ線を着脱自在に嵌合し、該ヒータ線の外周一部を同凹溝部から突出させ、該突出したヒータ線の外周一部にアルミシートを押圧手段の押圧力によって圧接させたことを特徴としている。
したがって、この場合は特に、内箱体の外面に形成された凹溝部にヒータ線が着脱自在に嵌合されるため、該ヒータ線と同内箱体との間において熱は効率良く伝達され、両者を分離させることも容易である。しかも、凹溝部から突出したヒータ線の外周一部にアルミシートが確実に圧接されるため、該アルミシートと同ヒータ線との間において熱は効率良く伝達される。又、ヒータ線とアルミシートとは押圧手段の押圧力により圧接されるだけなので、該押圧手段による押圧が解除されれば両者は容易に分離される。
【００１０】
本発明の請求項２記載の生ゴミ処理装置は、上記請求項１記載の生ゴミ処理装置において、押圧手段が略筒状の熱収縮シートでなり、アルミシートの外側から内箱体の外周に装着されて、加熱収縮されることにより該アルミシートを同内箱体の外面に対して押圧することを特徴としている。
【００１１】
したがって、この場合は特に、内箱体の外周に熱収縮シートでなる略筒状の押圧手段を加熱収縮させて簡単に装着することができ、これにより、アルミシートも同内箱体の外面に対し押圧されて容易に保持固定される。又、ヒータ線及びアルミシートを取り外す際には、熱収縮シートでなる押圧手段を切断して除去すれば良い。
【００１２】
本発明の請求項３記載の生ゴミ処理装置は、上記請求項１記載の生ゴミ処理装置において、押圧手段が略筒状の弾性シートでなり、アルミシートの外側から内箱体の外周に伸張された状態で装着されて、その弾性復元力により該アルミシートを同内箱体の外面に対して押圧することを特徴としている。
【００１３】
したがって、この場合は特に、弾性シートでなる略筒状の押圧手段を伸張させた状態で内箱体の外周に配し、その弾性復元力によって簡単に装着することができ、これにより、アルミシートも同内箱体の外面に対し押圧されて容易に保持固定される。又、ヒータ線及びアルミシートを取り外す際には、弾性シートでなる押圧手段を伸張させて除去すれば良い。
【００１４】
本発明の請求項４記載の生ゴミ処理装置は、上記請求項１記載の生ゴミ処理装置において、押圧手段が内部に空気を注入することで膨張する柔軟な袋状物でなり、カバー体とアルミシートとの間に介設されて、その内部の空気圧により該アルミシートを内箱体の外面に対して押圧することを特徴としている。
【００１５】
したがって、この場合は特に、柔軟な袋状物でなる押圧手段をカバー体とアルミシートとの間に介在させ、その内部に空気を注入し膨張させることによって簡単に配設することができ、該内部の空気圧により、同アルミシートも内箱体の外面に対し押圧されて容易に保持固定される。又、ヒータ線及びアルミシートを取り外す際には、カバー体を取り外し袋状物でなる押圧手段を収縮させて除去すれば良い。
【００１６】
本発明の請求項５記載の生ゴミ処理装置は、上記請求項２〜４のいずれか一つに記載の生ゴミ処理装置において、アルミシートと押圧手段との間に弾性を有する断熱材を介設したことを特徴としている。
【００１７】
したがって、この場合は特に、アルミシートと押圧手段との間に断熱材が介設されるため、同アルミシートから内箱体へと熱は逃げないように伝達されて、該内箱体の内部が効率良く加熱される。しかも、前記断熱材が弾性を有しているため、該断熱材の弾性力によって、ヒータ線及びアルミシートは内箱体の外面に対しより安定した状態で保持固定される。それ故、微生物による分解処理性能が更に向上される。
【００１８】
本発明の請求項６記載の生ゴミ処理装置は、上記請求項１記載の生ゴミ処理装置において、押圧手段が弾性体でなり、カバー体とアルミシートとの間に圧縮された状態で介設されて、その弾性復元力により該アルミシートを同内箱体の外面に対して押圧することを特徴としている。
【００１９】
したがって、この場合は特に、弾性体でなる押圧手段をカバー体とアルミシートとの間に圧縮させた状態で介設し、その弾性復元力によって簡単に装着することができ、該弾性復元力により、同アルミシートも内箱体の外面に対し押圧されて容易に保持固定される。又、ヒータ線及びアルミシートを取り外す際には、弾性体でなる押圧手段を圧縮保持しているカバー体を取り外せば良い。
【００２８】
【発明の実施の形態】
図１〜７は、本発明の請求項１、２、５に対応する一実施形態を示し、該実施形態の生ゴミ処理装置は、内部に生ゴミが収容される合成樹脂製の内箱体１と、該内箱体１の外面に沿って配設されるヒータ線２と、該ヒータ線２からの熱を均熱化させて同内箱体１に伝えるアルミシート３と、これ等ヒータ線２、アルミシート３を外側から覆って同内箱体１を外装するカバー体４と、を備えたものである。
【００２９】
この場合、アルミシート３の外側に該アルミシート３を広域的に押圧する押圧手段５を配設し、該押圧手段５によって同アルミシート３と共にヒータ線２が内箱体１に対して着脱自在に保持固定されるようになっている。そして、前記加熱される内箱体１の内部では、生ゴミが微生物により分解処理される。
【００３０】
又、該実施形態の生ゴミ処理装置においては、図７に示す如く、押圧手段５が略筒状の熱収縮シート６でなり、アルミシート３の外側から内箱体１の外周に装着されて、加熱収縮されることにより該アルミシート３を同内箱体１の外面に対して押圧するものである。この場合、アルミシート３と押圧手段５との間に、図１に示す如く、弾性を有する断熱材９を介設している。
【００３１】
又、図１、３、４に示す如く、内箱体１の外面に凹溝部11を形成し、該凹溝部11にヒータ線２を着脱自在に嵌合し、該ヒータ線２の外周一部を同凹溝部11から突出させ、該突出したヒータ線２の外周一部にアルミシート３を押圧手段５の押圧力によって圧接させている。
【００３２】
図２に示す如く、内箱体１はＰＰ（ポリプロピレン）等の合成樹脂で一体に成形され、その内部には攪拌羽根を有する攪拌軸15が収容設置され、同内箱体１の内部では、微生物を培養するためのバイオチップと生ゴミが攪拌されて処理される。内箱体１はベース16上に設置固定され、該内箱体１の周囲四面が各々カバー体４で覆われ、該カバー体４の上側には天板17が付設されて、同内箱体１は分割され得る外箱体で外装された形態となる。なお、内箱体１と外箱体との間隔スペースには、前記攪拌軸15を回動させるモータ、該モータの回転駆動や同内箱体１の内部温度等を制御する制御機器が収容設置される。
【００３３】
又、内箱体１は上方に開口した箱型で、その底部分が前記攪拌軸15の攪拌羽根先端の回動軌道に沿った円弧状曲面に形成されている。そして、図１、３、４に示す如く、内箱体１の相対向する側壁の中程部分外面には、直線状の凹溝部11が相互に平行となるよう上下に複数条配設形成されており、該各凹溝部11にはヒータ線２が折り返しながら嵌合保持される。この場合、図５に示す如く、凹溝部11の両側溝縁全長にフック形状ａを備えたり、図６に示す如く、凹溝部11の両側溝縁にフック形状ａを部分的に備えたりすると、同凹溝部11にはヒータ線２が確実に嵌合保持されるようになり、該ヒータ線２の配線作業は容易となる。
【００３４】
次に、図１に示す如く、凹溝部11に嵌合保持されたヒータ線２の上からアルミシート３、断熱材９がこの順で重合され、その外側に熱収縮シート６でなる押圧手段５が装着される。この場合、断熱材９は柔軟性のある合成樹脂発泡体でなり弾性を有している。又、図７に示す如く、押圧手段５となる熱収縮シート６は輪形の略筒状で、内箱体１の外周に前記ヒータ線２、アルミシート３、断熱材９の上から装着され、熱風等で加熱されることにより収縮する。これによって、断熱材９及びアルミシート３は広域的に押圧され、ヒータ線２と共に内箱体１の外面に対して着脱自在に保持固定される。なお、該実施形態の生ゴミ処理装置においては、前記断熱材９を省略した形態として実施することも可能である。
【００３５】
したがって、該実施形態の生ゴミ処理装置においては、押圧手段５によってアルミシート３と共にヒータ線２が内箱体１に対して着脱自在に保持固定されるため、解体してリサイクル等を実施する際には、材料を容易に分別して回収処理することができる。すなわち、外箱体となるカバー体４を分解して取り外し、押圧手段５による保持固定状態を解除することで、合成樹脂製の内箱体１から金属でなるヒータ線２及びアルミシート３を容易に取り外すことができ、これ等は容易に分別されて回収処理される。又、ヒータ線２やアルミシート３等の破損に際しても、これ等を内箱体１から同様に取り外して新しい物と取り替えることで、容易にメンテナンス作業を行うことができる。
【００３６】
しかも、該実施形態の生ゴミ処理装置においては、押圧手段５によってアルミシート３が内箱体１の外面に対し広域的に押圧されて、ヒータ線２と共に安定した状態で保持固定されるため、該ヒータ線２及びアルミシート３と同内箱体１の外面との間における密着不良は防止され、該内箱体１へと熱が均等且つ十分に伝達される。それ故、内箱体１の内部が安定して確実に加熱され、微生物による分解処理性能も維持向上される。
【００３７】
又、この場合、アルミシート３と押圧手段５との間に断熱材９が介設されるため、同アルミシート３から内箱体１へと熱は逃げないように伝達されて、該内箱体１の内部が効率良く加熱される。しかも、前記断熱材９が柔軟な合成樹脂発泡体でなり弾性を有しているため、該断熱材９の弾性力によって、ヒータ線２及びアルミシート３は内箱体１の外面に対しより安定した状態で保持固定される。それ故、微生物による分解処理性能が更に向上される。
【００３８】
更に、該実施形態の生ゴミ処理装置においては、押圧手段５が略筒状の熱収縮シート６でなるため、内箱体１の外周に同熱収縮シート６でなる押圧手段５を加熱収縮させて簡単に装着することができ、これにより、アルミシート３も同内箱体１の外面に対し押圧されて容易に保持固定される。又、ヒータ線２及びアルミシート３を取り外す際には、熱収縮シート６でなる押圧手段５を切断して除去すれば良い。
【００３９】
又、この場合、内箱体１の外面に形成された凹溝部11にヒータ線２が着脱自在に嵌合されるため、該ヒータ線２と同内箱体１との間において熱は効率良く伝達され、両者を分離させることも相互に引き離して容易に行うことができる。しかも、凹溝部11から突出したヒータ線２の外周一部にアルミシート３が確実に圧接されるため、該アルミシート３と同ヒータ線２との間において熱は直接的に効率良く伝達される。又、ヒータ線２とアルミシート３とは押圧手段５の押圧力により圧接されるだけなので、該押圧手段５による押圧が解除されれば両者は容易に分離される。
【００４０】
図８は、本発明の請求項１、３、５に対応する別の実施形態を示し、該実施形態の生ゴミ処理装置においては、押圧手段５が略筒状の柔軟な弾性シート７でなり、アルミシート３の外側から内箱体１の外周に伸張された状態で装着されて、その弾性復元力により該アルミシート３を同内箱体１の外面に対して押圧するものである。この場合、押圧手段５となる弾性シート７は、ネット状に形成されて多数の開口孔を有しており、該開口孔の部分で攪拌軸15の駆動部位等を回避することができ、又、同弾性シート７は伸張され易いものとなっている。
【００４１】
したがって、該実施形態の生ゴミ処理装置においては、弾性シート７でなる略筒状の押圧手段５を伸張させた状態で内箱体１の外周に配し、その弾性復元力によって簡単に装着することができ、これにより、アルミシート３も同内箱体１の外面に対し押圧されて容易に保持固定される。又、ヒータ線２及びアルミシート３を取り外す際には、弾性シート７でなる押圧手段５をその弾性復元力に抗し伸張させて除去すれば良い。
【００４２】
又、該実施形態の生ゴミ処理装置においては、内箱体１の内側及びアルミシート３の外側に各々磁石或いは磁石と被磁着体を配設し、相互に磁着させることによって、該アルミシート３をヒータ２と共に同内箱体１の外面に仮保持させることができ、該仮保持状態で弾性シート７でなる押圧手段５の装着作業を楽に行うことができる。そして、装着後には、弾性シート７でなる押圧手段５を伸張させて、磁石或いは被磁着体を取り外せば良い。なお、それ以外は、上記図１〜７に示した実施形態と同様に構成され、請求項２に係る以外の作用効果が同上記実施形態におけると同様に奏される。
【００４３】
図９は、本発明の請求項１、４に対応する更に別の実施形態を示し、該実施形態の生ゴミ処理装置においては、押圧手段５が内部に空気を注入することで膨張する伸縮自在で柔軟な袋状物８でなり、カバー体４とアルミシート３との間に介設されて、その内部の空気圧により該アルミシート３を内箱体１の外面に対して押圧するものである。この場合、押圧手段５となる袋状物８の内部に空気を注入するに際しては、エアーポンプ等を使用すれば良い。
【００４４】
又、カバー体４は内箱体１に対してネジ固定されるもので、同カバー体４とアルミシート３との間に袋状物８を介設するに際しては、該袋状部８が収縮状態とされる。その際、内箱体１、カバー体４のいずれかに袋状物８を仮保持させた状態で、該カバー体４を同内箱体１にネジ固定しても良いし、或いは、カバー体４を内箱体１にネジ固定した後に、両者の間に袋状物８を挿入しても良い。いずれにしても、袋状物８はカバー体４とアルミシート３との間に介在する状態とされた後に、その内部に空気が注入されて膨張される。
【００４５】
したがって、該実施形態の生ゴミ処理装置においては、柔軟な袋状物８でなる押圧手段５をカバー体４とアルミシート３との間に介在させ、その内部に空気を注入し膨張させることによって簡単に配設固定することができ、該内部の空気圧により、同アルミシート３も内箱体１の外面に対し押圧されて容易に保持固定される。又、ヒータ線２及びアルミシート３を取り外す際には、カバー体４を分解して取り外し袋状物８でなる押圧手段５を収縮させて除去すれば良い。なお、それ以外は、上記図１〜７に示した実施形態と同様に構成され、請求項２、５に係る以外の作用効果が同上記実施形態におけると同様に奏される。
【００４６】
図１０、１１は、参考例を示し、該参考例の生ゴミ処理装置においては、押圧手段５が柔軟で断熱性を有する弾性体10でなり、カバー体４とアルミシート３との間に圧縮された状態で介設されて、その弾性復元力により該アルミシート３を同内箱体１の外面に対して押圧するものである。この場合、押圧手段５となる弾性体10は板状の合成樹脂発泡体でなり、カバー体４が内箱体１に取り付けられることによって、該内箱体１の外面と同カバー体４との間に圧縮状態で挟持される。その際、内箱体１、カバー体４のいずれかに押圧手段５となる弾性体10を仮保持させた状態で、該カバー体４を同内箱体１にネジ18で固定している。
【００４７】
したがって、該参考例の生ゴミ処理装置においては、弾性体10でなる押圧手段５をカバー体４とアルミシート３との間に圧縮させた状態で介設し、その弾性復元力によって簡単に装着することができ、該弾性復元力により、同アルミシート３も内箱体１の外面に対し押圧されて容易に保持固定される。又、ヒータ線２及びアルミシート３を取り外す際には、弾性体10でなる押圧手段５を圧縮保持しているカバー体４をネジ18を外して取り外せば良い。しかも、押圧手段５となる弾性体10が断熱性を有しているため、アルミシート３から内箱体１へと熱は逃げないように伝達されて、該内箱体１の内部が効率良く加熱される。
【００４８】
更に、該参考例の生ゴミ処理装置においては、ヒータ線２とアルミシート３とをヒータユニット12として一体化形成し、該ヒータユニット12を押圧手段５の押圧力により内箱体１の外面に対して着脱自在に押圧保持させている。又、この場合、アルミシート３に屈曲溝部13を形成し、該屈曲溝部13にヒータ線２を着脱自在に嵌合することにより、該ヒータ線２と同アルミシート３とをヒータユニット12として一体化形成している。
【００４９】
したがって、該参考例の生ゴミ処理装置においては、ヒータ線２とアルミシート３とがヒータユニット12として一体化形成されるため、該ヒータユニット12は押圧手段５の押圧力によって簡単に内箱体１の外面に対し着脱自在に押圧保持され、同ヒータユニット12の取り外しもまとめて容易に行うことができる。しかも、この場合に、アルミシート３に形成された屈曲溝部13にヒータ線２が着脱自在に嵌合されるため、該ヒータ線２と同アルミシート３との間において熱は効率良く伝達され、両者を分離させることも容易である。
【００５０】
図１２は、別の参考例を示し、該参考例の生ゴミ処理装置においては、ヒータ線２とアルミシート３とを密閉袋14で真空パックすることにより、ヒータユニット12として一体化形成している。この場合、ヒータ線２及びアルミシート３はフィルム状で薄い密閉袋14内に収容され、該密閉袋14内から空気が吸引排出されて、同密閉袋14内は真空状態とされ、該密閉袋14内に同ヒータ線２及びアルミシート３が密着固定状態で真空パックされる。
【００５１】
したがって、該参考例の生ゴミ処理装置においては、ヒータ線２とアルミシート３とが密閉袋14で真空パックされ、ヒータユニット12として容易に一体化形成される。しかも、ヒータ線２とアルミシート３との間における密着性が向上されて、両者の間において熱は効率良く伝達される。又、ヒータ線２とアルミシート３とを分離させるには、密閉袋14を切断して除去すれば良い。
【００５２】
【発明の効果】
上述の如く、本発明の請求項１記載の生ゴミ処理装置においては、解体してリサイクル等を実施する際に、材料を容易に分別することができ、メンテナンス作業も容易に行うことができる。しかも、ヒータ線及びアルミシートと内箱体の外面との間における密着不良が防止されて、該内箱体の内部は確実に加熱され、微生物による分解処理性能も維持向上される。
又、特に、ヒータ線と内箱体との間で熱が効率良く伝達され、両者を分離させることも容易である。しかも、アルミシートとヒータ線との間でも熱は効率良く伝達され、押圧手段による押圧が解除されれば両者は容易に分離される。
【００５３】
又、本発明の請求項２記載の生ゴミ処理装置においては、特に、内箱体の外周に押圧手段を加熱収縮させて簡単に装着することができ、これにより、アルミシートも同内箱体の外面に対し押圧されて容易に保持固定される。
【００５４】
又、本発明の請求項３記載の生ゴミ処理装置においては、特に、押圧手段を伸張させた状態で内箱体の外周に配し、その弾性復元力によって簡単に装着することができ、これにより、アルミシートも同内箱体の外面に対し押圧されて容易に保持固定される。
【００５５】
又、本発明の請求項４記載の生ゴミ処理装置においては、特に、押圧手段をカバー体とアルミシートとの間に介在させ、その内部に空気を注入し膨張させることによって簡単に配設することができ、該内部の空気圧により、同アルミシートも内箱体の外面に対し押圧されて容易に保持固定される。
【００５６】
又、本発明の請求項５記載の生ゴミ処理装置においては、特に、アルミシートから内箱体へと熱が逃げないように伝達されて、該内箱体の内部は効率良く加熱される。しかも、断熱材の弾性力によって、ヒータ線及びアルミシートは内箱体の外面に対しより安定した状態で保持固定される。そのため、微生物による分解処理性能が更に向上される。
【００５７】
又、本発明の請求項６記載の生ゴミ処理装置においては、特に、押圧手段をカバー体とアルミシートとの間に圧縮させた状態で介設し、その弾性復元力によって簡単に装着することができ、該弾性復元力により、同アルミシートも内箱体の外面に対し押圧されて容易に保持固定される。
【図面の簡単な説明】
【図１】本発明の一実施形態である生ゴミ処理装置の要部を示す縦断面図。
【図２】同生ゴミ処理装置の全体を示す分解斜視図。
【図３】同生ゴミ処理装置における内箱体を示す斜視図。
【図４】同内箱体におけるヒータ線の嵌合状態を示す斜視図。
【図５】同内箱体におけるヒータ線の異なる嵌合状態を例示する斜視図。
【図６】同内箱体におけるヒータ線の更に異なる嵌合状態を例示する斜視図。
【図７】同生ゴミ処理装置における押圧手段が取り付けられた内箱体を示す斜視図。
【図８】別の実施形態である生ゴミ処理装置において内箱体に押圧手段が取り付けられる状態を示す斜視図。
【図９】更に別の実施形態である生ゴミ処理装置において内箱体に押圧手段が取り付けられる状態を示す斜視図。
【図１０】  参考例である生ゴミ処理装置において内箱体に押圧手段が取り付けられる状態を示す斜視図。
【図１１】同生ゴミ処理装置の要部を示す縦断面図。
【図１２】  別の参考例である生ゴミ処理装置においてヒータユニットが一体化形成される状態を示す平面図。
【図１３】従来例である生ゴミ処理装置における内箱体を示す斜視図。
【図１４】同生ゴミ処理装置の要部を示す縦断面図。
【符号の説明】
１  内箱体
２  ヒータ線
３  アルミシート
４  カバー体
５  押圧手段
６  熱収縮シート
７  弾性シート
８  袋状物
９  断熱材
10  弾性体
11  凹溝部
12  ヒータユニット
13  屈曲溝部
14  密閉袋
【図１】
0003738642.tif 000002
【図２】
0003738642.tif 000003
【図３】
0003738642.tif 000004
【図４】
0003738642.tif 000005
【図５】
0003738642.tif 000006
【図６】
0003738642.tif 000007
【図７】
0003738642.tif 000008
【図８】
0003738642.tif 000009
【図９】
0003738642.tif 000010
【図１０】
0003738642.tif 000011
【図１１】
0003738642.tif 000012
【図１２】
0003738642.tif 000013
【図１３】
0003738642.tif 000014
【図１４】
0003738642.tif 000015